(57)【要約】  本発明は、端末ページングの方法、装置、及びシステムを開示し、そこにおける方法は、コアネットワーク装置が、ページング待ち端末に対応する中継装置を決定し、中継装置に対応するアクセスネットワーク装置にページング要求メッセージを送信して、アクセスネットワーク装置が中継装置にページング情報を送信するようにし、中継装置からページング情報を端末に中継することを含む。本発明に記載の案を適用することで、ページング成功率等が向上できる。
2020519063.tif 000002
【特許請求の範囲】
【請求項１】
端末ページングの方法であって、
コアネットワーク装置はページング待ち端末に対応する中継装置を決定するステップと、
前記コアネットワーク装置は、前記中継装置に対応するアクセスネットワーク装置にページング要求メッセージを送信して、前記アクセスネットワーク装置が前記中継装置にページング情報を送信するようにし、前記中継装置から前記ページング情報を前記端末に中継するステップと、を含むことを特徴とする端末ページングの方法。
【請求項２】
前記コアネットワーク装置が、ページング待ち端末に対応する中継装置を決定する前に、
前記コアネットワーク装置は、前記端末がネットワークにカバーされているかどうかを判断し、
ネットワークにカバーされていない場合、前記コアネットワーク装置は、前記端末に対応する中継装置を決定するステップを更に含むことを特徴とする、請求項１に記載の方法。
【請求項３】
前記コアネットワーク装置がページング待ち端末に対応する中継装置を決定することは、
前記コアネットワーク装置が、保存される端末と中継装置との間の対応関係に基づいて、前記端末に対応する中継装置を決定することを含むことを特徴とする、請求項１に記載の方法。
【請求項４】
前記コアネットワーク装置が前記中継装置に対応するアクセスネットワーク装置にページング要求メッセージを送信することは、
前記コアネットワーク装置が前記中継装置の特定のＳ１インターフェイス接続を介して前記ページング要求メッセージを送信し、
または、前記コアネットワーク装置が前記中継装置の非特定のＳ１インターフェイス接続を介して前記ページング要求メッセージを送信することを含むことを特徴とする、請求項１に記載の方法。
【請求項５】
該方法は、
前記中継装置の非特定のＳ１インターフェイス接続を介して前記ページング要求メッセージを送信する場合、前記ページング要求メッセージには前記中継装置の識別情報が含まれることを更に含むことを特徴とする、請求項４に記載の方法。
【請求項６】
端末ページングの方法であって、
アクセスネットワーク装置はコアネットワーク装置からのページング要求メッセージを受信するステップと、
前記アクセスネットワーク装置は前記ページング要求メッセージに対応する中継装置を決定するステップと、
前記アクセスネットワーク装置は前記中継装置にページング情報を送信して、前記中継装置が前記ページング情報を端末に中継するようにするステップと、を含むことを特徴とする端末ページングの方法。
【請求項７】
前記アクセスネットワーク装置がコアネットワーク装置からのページング要求メッセージを受信することは、
前記アクセスネットワーク装置が前記中継装置の特定のＳ１インターフェイス接続を介して前記ページング要求メッセージを受信し、
または、前記アクセスネットワーク装置が前記中継装置の非特定のＳ１インターフェイス接続を介して前記ページング要求メッセージを受信することを含むことを特徴とする、請求項６に記載の方法。
【請求項８】
前記アクセスネットワーク装置が前記ページング要求メッセージに対応する中継装置を決定することは、
前記中継装置の特定のＳ１インターフェイス接続を介して前記ページング要求メッセージを受信する場合、前記アクセスネットワーク装置が、前記特定のＳ１インターフェイス接続情報に基づいて前記中継装置を決定し、
前記中継装置の非特定のＳ１インターフェイス接続を介して前記ページング要求メッセージを受信する場合、前記アクセスネットワーク装置が、前記ページング要求メッセージに含まれる前記中継装置の識別情報に基づいて前記中継装置を決定することを含むことを特徴とする、請求項７に記載の方法。
【請求項９】
前記アクセスネットワーク装置が前記中継装置にページング情報を送信することは、
前記アクセスネットワークが前記ページング情報を専用メッセージに含ませて前記中継装置に送信することを含むことを特徴とする、請求項６に記載の方法。
【請求項１０】
前記専用メッセージは、無線リソース制御ＲＲＣメッセージ、プロトコルデータユニットＰＤＵメッセージを含むことを特徴とする、請求項９に記載の方法。
【請求項１１】
端末ページングの方法であって、
中継装置はアクセスネットワーク装置からのページング情報を受信し、前記ページング情報は、前記アクセスネットワーク装置がコアネットワーク装置からのページング要求メッセージを受信してから前記中継装置に送信したものであるステップと、
前記中継装置は前記ページング情報を端末に中継するステップと、を含むことを特徴とする端末ページングの方法。
【請求項１２】
前記中継装置が前記ページング情報を端末に中継することは、
前記中継装置が、短距離通信技術によって、前記ページング情報を前記端末に中継することを含むことを特徴とする、請求項１１に記載の方法。
【請求項１３】
端末ページングの方法であって、
端末は中継装置からのページング情報を受信し、前記ページング情報はアクセスネットワーク装置がコアネットワーク装置からのページング要求メッセージを受信してから前記中継装置に送信したものであるステップを含むことを特徴とする端末ページングの方法。
【請求項１４】
前記端末が中継装置からのページング情報を受信することは、
前記端末が短距離通信技術によって前記ページング情報を受信することを含むことを特徴とする、請求項１３に記載の方法。
【請求項１５】
コアネットワーク装置であって、第１処理ユニットと第２処理ユニットを含み、
前記第１処理ユニットは、ページング待ち端末に対応する中継装置を決定することに用いられ、
前記第２処理ユニットは、前記中継装置に対応するアクセスネットワーク装置にページング要求メッセージを送信して、前記アクセスネットワーク装置が前記中継装置にページング情報を送信するようにし、前記中継装置から前記ページング情報を前記端末に中継することに用いられることを特徴とするコアネットワーク装置。
【請求項１６】
前記第１処理ユニットは更に、
ページング待ち端末に対応する中継装置を決定する前に、前記端末がネットワークにカバーされているかどうかを判断し、ネットワークにカバーされていない場合、前記端末に対応する中継装置を決定することに用いられることを特徴とする、請求項１５に記載のコアネットワーク装置。
【請求項１７】
前記第１処理ユニットは、保存される端末と中継装置との間の対応関係に基づいて、前記端末に対応する中継装置を決定することを特徴とする、請求項１５に記載のコアネットワーク装置。
【請求項１８】
前記第２処理ユニットは、前記中継装置の特定のＳ１インターフェイス接続を介して前記ページング要求メッセージを送信し、
または、前記第２処理ユニットは、前記中継装置の非特定のＳ１インターフェイス接続を介して前記ページング要求メッセージを送信することを特徴とする、請求項１５に記載のコアネットワーク装置。
【請求項１９】
前記第２処理ユニットは更に、
前記中継装置の非特定のＳ１インターフェイス接続を介してページング要求メッセージを送信する場合、前記ページング要求メッセージに前記中継装置の識別情報を含ませることに用いられることを特徴とする、請求項１８に記載のコアネットワーク装置。
【請求項２０】
アクセスネットワーク装置であって、第３処理ユニットと第４処理ユニットを含み、
前記第３処理ユニットは、コアネットワーク装置からのページング要求メッセージを受信し、前記ページング要求メッセージに対応する中継装置を決定することに用いられ、
前記第４処理ユニットは、前記中継装置にページング情報を送信して、前記中継装置が前記ページング情報を端末に中継するようにすることに用いられることを特徴とするアクセスネットワーク装置。
【請求項２１】
前記第３処理ユニットは、前記中継装置の特定のＳ１インターフェイス接続を介して前記ページング要求メッセージを受信し、
または、前記第３処理ユニットは、前記中継装置の非特定のＳ１インターフェイス接続を介して前記ページング要求メッセージを受信することを特徴とする、請求項２０に記載のアクセスネットワーク装置。
【請求項２２】
前記中継装置の特定のＳ１インターフェイス接続を介して前記ページング要求メッセージを受信する場合、前記第３処理ユニットは、前記特定のＳ１インターフェイス接続情報に基づいて前記中継装置を決定し、
前記中継装置の非特定のＳ１インターフェイス接続を介して前記ページング要求メッセージを受信する場合、前記第３処理ユニットは、前記ページング要求メッセージに含まれる前記中継装置の識別情報に基づいて前記中継装置を決定することを特徴とする、請求項２１に記載のアクセスネットワーク装置。
【請求項２３】
前記第４処理ユニットは前記ページング情報を専用メッセージに含ませて前記中継装置に送信することを特徴とする、請求項２０に記載のアクセスネットワーク装置。
【請求項２４】
前記専用メッセージは、無線リソース制御ＲＲＣメッセージ、プロトコルデータユニットＰＤＵメッセージを含むことを特徴とする、請求項２３に記載ののアクセスネットワーク装置。
【請求項２５】
中継装置であって、第５処理ユニットと第６処理ユニットを含み、
前記第５処理ユニットは、アクセスネットワーク装置からのページング情報を受信することに用いられ、前記ページング情報は、前記アクセスネットワーク装置がコアネットワーク装置からのページング要求メッセージを受信してから前記中継装置に送信したものであり、
前記第６処理ユニットは、前記ページング情報を端末に中継することに用いられることを特徴とする中継装置。
【請求項２６】
前記第６処理ユニットは短距離通信技術によって、前記ページング情報を前記端末に中継することを特徴とする、請求項２５に記載の中継装置。
【請求項２７】
端末であって、第７処理ユニットを含み、
前記第７処理ユニットは、中継装置からのページング情報を受信することに用いられ、前記ページング情報は、アクセスネットワーク装置がコアネットワーク装置からのページング要求メッセージを受信してから前記中継装置に送信したものであることを特徴とする端末。
【請求項２８】
前記第７処理ユニットは短距離通信技術によって前記ページング情報を受信することを特徴とする、請求項２７に記載の端末。
【請求項２９】
端末ページングのシステムであって、
請求項１５〜１９のいずれか１項に記載のコアネットワーク装置と、請求項２０〜２４に記載のアクセスネットワーク装置と、請求項２５〜２６のいずれか１項に記載の中継装置と、請求項２７〜２８のいずれか１項に記載の端末と、を含む端末ページングのシステム。
【発明の詳細な説明】
【技術分野】
【０００１】
本発明は無線ネットワーク技術に関し、特に、端末ページングの方法、装置及びシステムに関する。
【背景技術】
【０００２】
高度化国際移動通信（ＩＭＴ−Ａｄｖａｎｃｅｄ、Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）システムでは、キャリアアグリゲーション（ＣＡ、Ｃａｒｒｉｅｒ  Ａｇｇｒｅｇａｔｉｏｎ）技術、強化された多入力多出力（ＭＩＭＯ、Ｍｕｌｔｉｐｌｅ−Ｉｎｐｕｔ  Ｍｕｌｔｉｐｌｅ−Ｏｕｔｐｕｔ）アンテナ技術、多地点協調送受信（ＣｏＭＰ、Ｃｏｏｒｄｉｎａｔｅｄ  Ｍｕｌｔｉｐｌｅ  Ｐｏｉｎｔｓ  Ｔｒａｎｓｍｉｓｓｉｏｎ／Ｒｅｃｅｐｔｉｏｎ）技術と中継技術などが採用され、既存のセルラー通信システムの上でシステム容量が更に高められ、セル縁部ユーザのデータレート及びユーザ体験が改善された。
【０００３】
しかし、セルラー通信システムの基地局（ＢＳ、Ｂａｓｅ  Ｓｔａｔｉｏｎ）を中心とするセルカバー及びサービス提供方式それ自体に存在する限界のため、ＩＭＴ−Ａｄｖａｎｃｅｄシステムには、カバーと容量などの問題が依然として存在する。
【０００４】
端末間直通（Ｄ２Ｄ、Ｄｅｖｉｃｅ−ｔｏ−Ｄｅｖｉｃｅ）技術とは、近隣の端末が、近距離の範囲で、中心ノード（即ち、基地局）を経由せずに、ダイレクトリンクを介してデータを伝送できることを言う。
【０００５】
研究によると、Ｄ２Ｄ技術は、リソースの節約、干渉の低減、伝送効率の向上などの面で大きな利点があり、ＩＭＴ−ＡｄｖａｎｃｅｄシステムにＤ２Ｄ技術を導入すると、ネットワーク構成の大幅な改善、カバレッジの強化、及びシステム容量の向上などができる。
【０００６】
つまり、ＩＭＴ−Ａｄｖａｎｃｅｄシステムの許可周波数帯域にＤ２Ｄ技術を導入して、図１に示すように、セルラー通信とＤ２Ｄ通信が共存するハイブリッドネットワークを形成することができる。図１は既存セルラー通信とＤ２Ｄ通信が共存するハイブリッドネットワークの模式図である。
【０００７】
そこで、端末は、端末が基地局を介して通信するセルラー通信モードと、端末がＤ２Ｄリンクを介して直接通信するＤ２Ｄ通信モードの２つ異なるモードを採用して通信することができる。図１に示すように、該ハイブリッドネットワークにおいて、一部の端末は依然としてセルラー通信モードで基地局を介して情報転送及び通信を行い、それに対して、一部の端末はＤ２Ｄ通信モードでデータの直接伝送を行う。
【０００８】
また、Ｄ２Ｄ中継（Ｒｅｌａｙ）を利用して端末と基地局との間の通信を支援することもでき、図２に示すように、端末とＤ２Ｄ中継の間はＤ２Ｄ通信モードを採用し、Ｄ２Ｄ中継と基地局の間はセルラー通信モードを採用し、Ｄ２Ｄ中継は半二重方式でデータを受信・転送し、そして受信・転送の過程においてモード変換を行うことができる。図２は、既存の、Ｄ２Ｄ中継が導入されるネットワークの模式図である。
【０００９】
上記のＤ２Ｄ中継による通信支援のシーンでは、端末はエアインターフェースでネットワーク側からのページング情報を受信し、端末がネットワークでカバーされている場合、そのような方式で通常問題ないが、端末がネットワークでカバーされていない場合、ページングを受信できない可能性が高く、ページング失敗に至り、即ち、ページング成功率が低下する。
【発明の概要】
【００１０】
これに鑑み、本発明は、ページング成功率を高めることができる端末ページングの方法、装置及びシステムを提供する。
【００１１】
具体的な技術案は以下の通りである。
【００１２】
端末ページングの方法であって、
コアネットワーク装置はページング待ち端末に対応する中継装置を決定するステップと、
前記コアネットワーク装置は、前記中継装置に対応するアクセスネットワーク装置にページング要求メッセージを送信して、前記アクセスネットワーク装置が前記中継装置にページング情報を送信するようにし、前記中継装置から前記ページング情報を前記端末に中継するステップと、を含む端末ページングの方法。
【００１３】
端末ページングの方法であって、
アクセスネットワーク装置はコアネットワーク装置からのページング要求メッセージを受信するステップと、
前記アクセスネットワーク装置は前記ページング要求メッセージに対応する中継装置を決定するステップと、
前記アクセスネットワーク装置は前記中継装置にページング情報を送信して、前記中継装置が前記ページング情報を端末に中継するようにするステップと、を含む端末ページングの方法。
【００１４】
端末ページングの方法であって、
中継装置はアクセスネットワーク装置からのページング情報を受信し、前記ページング情報は、前記アクセスネットワーク装置がコアネットワーク装置からのページング要求メッセージを受信してから前記中継装置に送信したものであるステップと、
前記中継装置は前記ページング情報を端末に中継するステップと、を含む端末ページングの方法。
【００１５】
端末ページングの方法であって、
端末は中継装置からのページング情報を受信し、前記ページング情報はアクセスネットワーク装置がコアネットワーク装置からのページング要求メッセージを受信してから前記中継装置に送信したものであるステップを含む端末ページングの方法。
【００１６】
コアネットワーク装置であって、第１処理ユニットと第２処理ユニットを含み、
前記第１処理ユニットは、ページング待ち端末に対応する中継装置を決定することに用いられ、
前記第２処理ユニットは、前記中継装置に対応するアクセスネットワーク装置にページング要求メッセージを送信して、前記アクセスネットワーク装置が前記中継装置にページング情報を送信するようにし、前記中継装置から前記ページング情報を前記端末に中継することに用いられるコアネットワーク装置。
【００１７】
アクセスネットワーク装置であって、第３処理ユニットと第４処理ユニットを含み、
前記第３処理ユニットは、コアネットワーク装置からのページング要求メッセージを受信し、前記ページング要求メッセージに対応する中継装置を決定することに用いられ、
前記第４処理ユニットは、前記中継装置にページング情報を送信して、前記中継装置が前記ページング情報を端末に中継するようにすることに用いられるアクセスネットワーク装置。
【００１８】
中継装置であって、第５処理ユニットと第６処理ユニットを含み、
前記第５処理ユニットは、アクセスネットワーク装置からのページング情報を受信することに用いられ、前記ページング情報は、前記アクセスネットワーク装置がコアネットワーク装置からのページング要求メッセージを受信してから前記中継装置に送信したものであり、
前記第６処理ユニットは、前記ページング情報を端末に中継することに用いられる中継装置。
【００１９】
端末であって、第７処理ユニットを含み、
前記第７処理ユニットは、中継装置からのページング情報を受信することに用いられ、  前記ページング情報は、アクセスネットワーク装置がコアネットワーク装置からのページング要求メッセージを受信してから前記中継装置に送信したものである端末。
【００２０】
端末ページングのシステムであって、
上記のようなコアネットワーク装置と、上記のようなアクセスネットワーク装置と、上記のような中継装置と、上記のような端末と、を含む端末ページングのシステム。
【００２１】
上記の説明から分かるように、本発明に記載の案では、端末をページングすることが必要な場合、コアネットワーク装置は、まずページング待ち端末に対応する中継装置を決定し、そして、中継機器に対応するアクセスネットワーク装置にページング要求メッセージを送信し、その後、アクセスネットワーク装置から中継装置にページング情報を送信し、  中継機器からページング情報を端末に中継することができる。即ち、ネットワーク側は中継装置を介し端末をページングすることができ、そうすると、既存技術の説明で述べた、端末がネットワークにカバーされていない場合であっても、依然として端末がページングを受信するのを確保でき、これにより、ページング成功率が向上する。
【図面の簡単な説明】
【００２２】
【図１】図１は、既存のセルラー通信とＤ２Ｄ通信が共存するハイブリッドネットワークの模式図である。
【図２】図２は、既存の、Ｄ２Ｄ中継が導入されるネットワークの模式図である。
【図３】図３は、本発明に記載の端末ページングの方法の第１実施例のフローチャートである。
【図４】図４は、本発明に記載の端末ページングの方法の第２実施例のフローチャートである。
【図５】図５は、本発明に記載の端末ページングの方法の第３実施例のフローチャートである。
【図６】図６は、本発明に記載の端末ページングの方法の第４実施例のフローチャートである。
【図７】図７は、本発明に記載のコアネットワーク装置、アクセスネットワーク装置、中継装置、及び端末の間のメッセージの流れの模式図である。
【図８】図８は、本発明に記載のコアネットワーク装置の実施例の構成の模式図である。
【図９】図９は、本発明に記載のアクセスネットワーク装置の実施例の構成の模式図である。
【図１０】図１０は、本発明に記載の中継装置の実施例の構成の模式図である。
【発明を実施するための形態】
【００２３】
本発明の技術案をより明確に、明瞭にするために、以下は添付図面を参照しながら実施例を挙げ、本発明に記載の案を更に説明する。
【００２４】
明らかに、ここに説明する実施例は、本発明の一部の実施例であり、全部の実施例ではない。本発明における実施例に基づいて、当業者が創造的な労働をすることなく獲得した他の全ての実施例は、いずれも本発明の保護範囲に属する。
【００２５】
図３は、本発明に記載の端末ページングの方法の第１実施例のフローチャートであり、図３に示すように、以下の具体的な実施態様を含む。
【００２６】
３０１において、コアネットワーク装置はページング待ち端末に対応する中継装置を決定する。
【００２７】
たとえば、ページング待ち端末のデータを送信する必要がある場合、コアネットワーク装置は端末をページングすることが必要となる。
【００２８】
そこで、端末をページングするために、コアネットワーク装置はまず端末に対応する中継装置を決定する必要があり、それから中継装置を利用してページングを中継することができる。
【００２９】
端末に対応する中継装置を決定する前に、コアネットワーク装置は更にまず端末がネットワークにカバーされているかどうかを判断してもよく、もしネットワークにカバーされていなければ、更に端末に対応する中継装置を決定し、もしネットワークにカバーされているなら、既存技術の通り、エアインターフェースで端末にページング情報を送信する。
【００３０】
端末がネットワークにカバーされているかどうかを如何に判断するかは既存技術である。
【００３１】
コアネットワーク装置が端末に対応する中継装置を如何に決定するかは、実際の需要に応じて決められてもよい。
【００３２】
例えば、保存される端末と中継装置との間の対応関係に基づいて、端末に対応する中継装置を決定してもよい。
【００３３】
つまり、コアネットワーク装置は、異なる端末とそれに対応する中継装置との間の対応関係を事前に保存してもよく、そうすると、保存される内容を照会することで、各端末に対応する中継装置を知ることができる。
【００３４】
３０２において、コアネットワーク装置は中継装置に対応するアクセスネットワーク装置にページング要求メッセージを送信して、アクセスネットワーク装置が中継装置にページング情報を送信するようにし、中継装置からページング情報を端末に中継する。
【００３５】
端末に対応する中継装置を決定した後、コアネットワーク装置は中継装置のアクセスネットワークにページング要求メッセージを送信して、アクセスネットワークが端末をページングするように要求してもよい。
【００３６】
つまり、コアネットワーク装置は、中継装置に対応するアクセスネットワーク装置に、ページング情報、例えば、端末の識別情報等が含まれてもよいページング要求メッセージを送信してもよい。
【００３７】
なお、コアネットワーク装置は、中継装置の特定のＳ１インターフェイス接続を介してページング要求メッセージを送信してもよく、または、中継装置の非特定のＳ１インターフェイス接続を介してページング要求メッセージを送信してもよい。
【００３８】
中継装置の非特定のＳ１インターフェイス接続を介してページング要求メッセージを送信する場合、ページング要求メッセージには更に中継装置の識別情報が含まれてもよい。
【００３９】
それは、アクセスネットワーク装置にとって、コアネットワーク装置が中継装置の特定のＳ１インターフェイス接続を介してページング要求メッセージを送信している場合、アクセスネットワーク機器は特定のＳ１インターフェイス接続情報に基づいてページング要求メッセージに対応する中継機器を決定できるが、コアネットワーク機器が中継機器の非特定のＳ１インターフェイス接続を介してページング要求メッセージを送信している場合、アクセスネットワーク機器は上記のような方法で中継機器を決定できないため、ページング要求メッセージに中継装置の識別情報が含まれるようにして、アクセスネットワーク装置がページング要求メッセージに対応する中継機器を知るようにする必要があるからである。
【００４０】
ページング要求メッセージに対応する中継装置を決定した後、アクセスネットワーク装置は中継装置にページング情報を送信し、そして、中継装置からページング情報を端末に中継し、これにより、端末をページングする目的を達成する。
【００４１】
図４は、本発明に記載の端末ページングの方法の第２実施例のフローチャートであり、図４に示すように、以下の具体的な実施態様を含む。
【００４２】
４０１において、アクセスネットワーク装置はコアネットワーク装置からのページング要求メッセージを受信する。
【００４３】
コアネットワーク装置が端末をページングすることが必要となり、かつ端末がネットワークにカバーされていないと判断した時、端末に対応する中継装置を決定し、中継装置に対応するアクセスネットワーク装置にページング要求メッセージを送信する。
【００４４】
アクセスネットワーク装置は、中継装置の特定のＳ１インターフェイス接続を介してページング要求メッセージを受信してもよく、または、中継装置の非特定のＳ１インターフェイス接続を介してページング要求メッセージを受信してもよい。
【００４５】
中継装置の非特定のＳ１インターフェイス接続を介してページング要求メッセージを受信する場合、ページング要求メッセージには更に中継装置の識別情報が含まれる。
【００４６】
４０２において、アクセスネットワーク装置はページング要求メッセージに対応する中継装置を決定する。
【００４７】
アクセスネットワーク装置がページング要求メッセージを受信した後、ページング要求メッセージに対応する中継装置、即ち、どの中継装置を利用してページングを中継するかを更に決定する必要がある。
【００４８】
中継装置の特定のＳ１インターフェイス接続を介してページング要求メッセージを受信する場合、アクセスネットワーク装置は、特定のＳ１インターフェイス接続情報に基づいて中継装置を決定することができる。
【００４９】
中継装置の非特定のＳ１インターフェイス接続を介してページング要求メッセージを受信する場合、アクセスネットワーク装置は、ページング要求メッセージに含まれる中継装置の識別情報に基づいて中継装置を決定することができる。
【００５０】
４０３において、アクセスネットワーク装置は中継装置にページング情報を送信して、中継装置がページング情報を端末に中継するようにする。
【００５１】
アクセスネットワーク装置はページング情報を専用メッセージに含ませて中継装置に送信することができる。
【００５２】
専用メッセージとは、無線リソース制御（ＲＲＣ、Ｒａｄｉｏ  Ｒｅｓｏｕｒｃｅ  Ｃｏｎｔｒｏｌ）メッセージや、レイヤ２のプロトコルデータユニット（ＰＤＵ、Ｐｒｏｔｏｃｏｌ  Ｄａｔａ  Ｕｎｉｔ）メッセージなどであってもよい。
【００５３】
アクセスネットワーク装置はページング情報を専用メッセージに含ませて中継装置に送信して、中継装置が端末のページング情報を中継するように要求し、それに対応して、中継装置は、取得したページング情報を端末に中継する。
【００５４】
図５は、本発明に記載の端末ページングの方法の第３実施例のフローチャートであり、図５に示すように、以下の具体的な実施態様を含む。
【００５５】
５０１において、中継装置はアクセスネットワーク装置からのページング情報を受信し、ページング情報は、アクセスネットワーク装置がコアネットワーク装置からのページング要求メッセージを受信してから中継装置に送信したものである。
【００５６】
アクセスネットワーク装置はコアネットワーク装置からのページング要求メッセージを受信した後、ページング情報を専用メッセージに含ませて、ページング情報に対応する中継装置に送信することができる。
【００５７】
専用メッセージはＲＲＣメッセージまたはＰＤＵメッセージなどであってもよい。
【００５８】
中継装置は、受信した専用メッセージを相応の方法で解析・処理するなどして、それが端末に送信する情報であることを発見・認識できる。
【００５９】
５０２において、中継装置はページング情報を端末に中継する。
【００６０】
具体的には、中継装置は、端末に適する短距離通信技術によって、ページング情報を端末に中継できる。
【００６１】
例えば、中継装置は、ブルートゥース、ｗｉｆｉなどの短距離通信技術によって、ページング情報を端末に中継できる。
【００６２】
上記の説明に基づいて、図６は、本発明に記載の端末ページングの方法の第４実施例のフローチャートであり、図６に示すように、以下の具体的な実施態様を含む。
【００６３】
６０１において、コアネットワーク装置は端末をページングすることが必要となり、端末に対応する中継装置を決定する。
【００６４】
たとえば、ページング待ち端末のデータを送信する必要がある場合、コアネットワーク装置は端末をページングすることが必要となる。
【００６５】
対応的に、端末をページングするために、コアネットワーク装置はまず端末に対応する中継装置を決定し、さらに、中継装置を利用してページングを中継することができる。
【００６６】
コアネットワーク装置が端末に対応する中継装置を如何に決定するかは、実際の需要に応じて決めてもよい。
【００６７】
例えば、保存される端末と中継装置との間の対応関係に基づいて、端末に対応する中継装置を決定してもよい。
【００６８】
６０２において、コアネットワーク装置は、中継装置に対応するアクセスネットワーク装置にページング要求メッセージを送信する。
【００６９】
ページング要求メッセージには、ページング情報、例えば、端末の識別情報等が含まれてもよい。
【００７０】
また、コアネットワーク装置は、中継装置の特定のＳ１インターフェイス接続を介してページング要求メッセージを送信してもよく、または、中継装置の非特定のＳ１インターフェイス接続を介してページング要求メッセージを送信してもよい。
【００７１】
中継装置の非特定のＳ１インターフェイス接続を介してページング要求メッセージを送信する場合、ページング要求メッセージには更に中継装置の識別情報が含まれてもよい。
【００７２】
６０３において、アクセスネットワーク装置は、ページング要求メッセージを受信し、ページング要求メッセージに対応する中継装置を決定する。
【００７３】
アクセスネットワーク装置は、中継装置の特定のＳ１インターフェイス接続を介してページング要求メッセージを受信してもよく、または、中継装置の非特定のＳ１インターフェイス接続を介してページング要求メッセージを受信してもよい。
【００７４】
中継装置の非特定のＳ１インターフェイス接続を介してページング要求メッセージを受信する場合、ページング要求メッセージには更に中継装置の識別情報が含まれる。
【００７５】
中継装置の特定のＳ１インターフェイス接続を介してページング要求メッセージを受信する場合、アクセスネットワーク装置は、特定のＳ１インターフェイス接続情報に基づいて中継装置を決定することができる。
【００７６】
中継装置の非特定のＳ１インターフェイス接続を介してページング要求メッセージを受信する場合、アクセスネットワーク装置は、ページング要求メッセージに含る中継装置の識別情報に基づいて中継装置を決定することができる。
【００７７】
６０４において、アクセスネットワーク装置は中継装置にページング情報が含まれる専用メッセージを送信する。
【００７８】
専用メッセージはＲＲＣメッセージまたはＰＤＵメッセージなどであってもよい。
【００７９】
６０５において、中継装置はページング情報を端末に中継する。
【００８０】
中継装置は、短距離通信技術によって、ページング情報を端末に中継してもよく、具体的にどのような短距離通信技術を採用するかは、実際の需要に応じて決めてもよい。
【００８１】
上記の説明に基づいて、図７は、本発明に記載のコアネットワーク装置、アクセスネットワーク装置、中継装置、及び端末の間のメッセージの流れの模式図である。
【００８２】
上記の実施例において、各実施例の記述にそれぞれ重点があり、ある実施例で詳しく記述されていない部分について、他の実施例での関係記述を参照することができる。
【００８３】
それで分かるように、上記各実施例に記載の方法を採用する場合、ネットワーク側は中継装置を介して端末をページングすることができる。そうすると、既存技術の説明で述べた、端末がネットワークにカバーされていない場合であっても、依然として端末がページングを受信するのを確保でき、これにより、ページング成功率が向上する。
【００８４】
また、図２に示すシーンを例にすれば、上記各実施例における端末は即ち図２に示すＤ２Ｄ端末（Ｄ２Ｄ  ＵＥ）であってもよく、上記各実施例における中継装置は即ち図２に示すＤ２Ｄ中継であってもよい。
【００８５】
以上は方法の実施例に関する説明であり、以下は装置の実施例を介して、本発明に記載の案を更に説明する。
【００８６】
図８は、本発明に記載のコアネットワーク装置の実施例の構成の模式図である。図８に示すように、第１処理ユニット８０１と第２処理ユニット８０２を含む。
【００８７】
第１処理ユニット８０１は、ページング待ち端末に対応する中継装置を決定することに用いられる。
【００８８】
第２処理ユニット８０２は、中継装置に対応するアクセスネットワーク装置にページング要求メッセージを送信して、アクセスネットワーク装置が中継装置にページング情報を送信するようにし、中継装置からページング情報を端末に中継することに用いられる。
【００８９】
ある端末をページングすることが必要な場合、第１処理ユニット８０１は、まず端末がネットワークにカバーされているかどうかを判断し、ネットワークにカバーされていなければ、更に端末に対応する中継装置を決定する。
【００９０】
例えば、第１処理ユニット８０１は、保存される端末と中継装置との間の対応関係に基づいて、端末に対応する中継装置を決定するができる。
【００９１】
第１処理ユニット８０１は、決定した中継装置を第２処理ユニット８０２に知らせ、第２処理ユニット８０２はさらに中継装置に対応するアクセスネットワーク装置にページング要求メッセージを送信する。
【００９２】
具体的に、第２処理ユニット８０２は、中継装置の特定のＳ１インターフェイス接続を介してページング要求メッセージを送信してもよく、または、中継装置の非特定のＳ１インターフェイス接続を介してページング要求メッセージを送信してもよい。
【００９３】
中継装置の非特定のＳ１インターフェイス接続を介してページング要求メッセージを送信する場合、ページング要求メッセージには更に中継装置の識別情報が含まれてもよい。
【００９４】
それは、アクセスネットワーク装置にとって、第２処理ユニット８０２が中継装置の特定のＳ１インターフェイス接続を介してページング要求メッセージを送信する場合、アクセスネットワーク機器は特定のＳ１インターフェイス接続情報に基づいてページング要求メッセージに対応する中継機器を決定できるが、第２処理ユニット８０２が中継機器の非特定のＳ１インターフェイス接続を介してページング要求メッセージを送信する場合、アクセスネットワーク機器は上記のような方法で中継機器を決定できないため、ページング要求メッセージに中継装置の識別情報が含まれるようにして、アクセスネットワーク装置がページング要求メッセージに対応する中継機器を知るようにする必要があるからである。
【００９５】
ページング要求メッセージに対応する中継装置を決定した後、アクセスネットワーク装置は中継装置にページング情報を送信し、さらに、中継装置からページング情報を端末に中継し、これにより、端末をページングする目的を達成する。
【００９６】
図９は、本発明に記載のアクセスネットワーク装置の実施例の構成の模式図である。図９に示すように、第３処理ユニット９０１と第４処理ユニット９０２を含む。
【００９７】
第３処理ユニット９０１は、コアネットワーク装置からのページング要求メッセージを受信し、ページング要求メッセージに対応する中継装置を決定することに用いられる。
【００９８】
第４処理ユニット９０２は、中継装置にページング情報を送信して、中継装置がページング情報を端末に中継するようにすることに用いられる。
【００９９】
コアネットワーク装置が端末をページングすることが必要となり、かつ端末がネットワークにカバーされていないと判断した時、端末に対応する中継装置を決定し、中継装置に対応するアクセスネットワーク装置にページング要求メッセージを送信する。
【０１００】
それに対応して、第３処理ユニット９０１は、ページング要求メッセージを受信し、ページング要求メッセージに対応する中継装置を決定する。
【０１０１】
第３処理ユニット９０１は、中継装置の特定のＳ１インターフェイス接続を介してページング要求メッセージを受信してもよく、または、中継装置の非特定のＳ１インターフェイス接続を介してページング要求メッセージを受信してもよい。
【０１０２】
中継装置の非特定のＳ１インターフェイス接続を介してページング要求メッセージを受信する場合、ページング要求メッセージには更に中継装置の識別情報が含まれる。
【０１０３】
中継装置の特定のＳ１インターフェイス接続を介してページング要求メッセージを受信する場合、第３処理ユニット９０１は、特定のＳ１インターフェイス接続情報に基づいて中継装置を決定することができる。
【０１０４】
中継装置の非特定のＳ１インターフェイス接続を介してページング要求メッセージを受信する場合、第３処理ユニット９０１は、ページング要求メッセージに含まれる中継装置の識別情報に基づいて中継装置を決定することができる。
【０１０５】
第３処理ユニット９０１は、決定した中継装置を第４処理ユニット９０２に知らせ、第４処理ユニット９０２は中継装置にページング情報を送信して、中継装置がページング情報を端末に中継するようにする。
【０１０６】
第４処理ユニット９０２はページング情報を専用メッセージに含ませて中継装置に送信することができる。
【０１０７】
専用メッセージはＲＲＣメッセージまたはＰＤＵメッセージなどであってもよい。
【０１０８】
第４処理ユニット９０２はページング情報を専用メッセージに含ませて中継装置に送信して、中継装置が端末ページング情報を中継するように要求し、それに対応して、中継装置は、取得したページング情報を端末に中継する。
【０１０９】
図１０は、本発明に記載の中継装置の実施例の構成の模式図である。図１０に示すように、第５処理ユニット１００１と第６処理ユニット１００２を含む。
【０１１０】
第５処理ユニット１００１は、アクセスネットワーク装置からのページング情報を受信することに用いられ、ページング情報は、アクセスネットワーク装置がコアネットワーク装置からのページング要求メッセージを受信してから中継装置に送信したものである。
【０１１１】
第６処理ユニット１００２は、ページング情報を端末に中継することに用いられる。
【０１１２】
アクセスネットワーク装置がコアネットワーク装置からのページング要求メッセージを受信した後、ページング情報を専用メッセージに含ませて、ページング情報に対応する中継装置に送信することができる。
【０１１３】
専用メッセージはＲＲＣメッセージまたはＰＤＵメッセージなどであってもよい。
【０１１４】
第５処理ユニット１００１は、受信した専用メッセージを相応の方法で解析・処理するなどして、それが端末に送信する情報であることを発見・認識し、さらに、第６処理ユニット１００２からページング情報を端末に中継する。
【０１１５】
具体的には、第６処理ユニット１００２は、端末に適する短距離通信技術によって、ページング情報を端末に中継することができる。
【０１１６】
本発明ではまた端末の実施例を開示し、中継装置からのページング情報を受信することに用いられる第７処理ユニットを含み、ページング情報は、アクセスネットワーク装置がコアネットワーク装置からのページング要求メッセージを受信してから中継装置に送信したものである。
【０１１７】
第７処理ユニットは短距離通信技術によってページング情報を受信することができる。
【０１１８】
本発明ではまた端末ページングのシステムを開示し、図８に示す実施例でのようなコアネットワーク装置と、図９に示す実施例でのようなアクセスネットワーク装置と、図１０に示す実施例でのような中継装置と、上記のような端末と、を含んでもよい。
【０１１９】
上記各装置及びシステムの実施例の具体的な動作フローについては、前記の方法実施例での相応の説明を参照でき、ここでは詳述しない。
【０１２０】
それでから分かるように、上記各実施例に記載の方法を採用する場合、ネットワーク側は中継装置を介して端末をページングすることができる。そうすると、既存技術の説明で述べた、端末がネットワークにカバーされていない場合であっても、依然として端末がページングを受信するのを確保でき、これにより、ページング成功率が向上する。
【０１２１】
本願で提供するいくつかの実施例で開示される装置および方法は、他の方法で実現されてもよいことが理解される。例えば、上記の装置の実施例は単に模式的なものであって、例えば、説明したユニットの区分は論理的な機能区分に過ぎず、実際に実現する時には別の区分があってもよい。
【０１２２】
前記分離したものとして説明したユニットは、物理的に分離されてもされなくてもよく、ユニットとして表示したものは、物理的なユニットであってもでなくてもよく、即ち、一箇所にあってもよく、または複数のネットワークユニットに分布されてもよい。実際の需要に応じてその一部または全部のユニットを選択して、本実施例案の目的を実現することができる。
【０１２３】
また、本発明の各実施例において、各機能ユニットが１つの処理ユニットに集積されてもよく、各ユニットが独立して物理的に存在してもよく、２つ以上のユニットが１つのユニットに集積されてもよい。上記の集積ユニットはハードウェアの形で実現されてもよく、ハードウェアとソフトウェア機能ユニットの形で実現されてもよい。
【０１２４】
上記の、ソフトウェア機能ユニットの形で実現される集積ユニットは、コンピュータ読み取り可能な記憶媒体に記憶されてもよい。上記ソフトウェア機能ユニットは、記憶媒体に記憶され、１台のコンピュータ装置（パーソナルコンピュータ、サーバ、又はネットワーク装置などであってもよい）またはプロセッサ（ｐｒｏｃｅｓｓｏｒ）に、本発明の各実施例で説明した方法の一部ステップを実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを記憶できる各種の媒体を含む。
【０１２５】
以上は本発明の比較的に良い実施例に過ぎず、本発明を制限するためのものではない。本発明の精神及び原則内において行われた全ての修正、同等な代替、改善等は、いずれも本発明の保護範囲に含まれるべきである。
【図１】
2020519063.tif 000003
【図２】
2020519063.tif 000004
【図３】
2020519063.tif 000005
【図４】
2020519063.tif 000006
【図５】
2020519063.tif 000007
【図６】
2020519063.tif 000008
【図７】
2020519063.tif 000009
【図８】
2020519063.tif 000010
【図９】
2020519063.tif 000011
【図１０】
2020519063.tif 000012
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
端末ページングの方法であって、
コアネットワーク装置はページング待ち端末に対応する中継装置を決定するステップと、
前記コアネットワーク装置は、前記中継装置に対応するアクセスネットワーク装置にページング要求メッセージを送信して、前記アクセスネットワーク装置が前記中継装置にページング情報を送信するようにし、前記中継装置から前記ページング情報を前記端末に中継するステップと、を含むことを特徴とする端末ページングの方法。
【請求項２】
前記コアネットワーク装置が、ページング待ち端末に対応する中継装置を決定する前に、
前記コアネットワーク装置は、前記端末がネットワークにカバーされているかどうかを判断し、
ネットワークにカバーされていない場合、前記コアネットワーク装置は、前記端末に対応する中継装置を決定するステップを更に含むことを特徴とする、請求項１に記載の方法。
【請求項３】
前記コアネットワーク装置がページング待ち端末に対応する中継装置を決定することは、
前記コアネットワーク装置が、保存される端末と中継装置との間の対応関係に基づいて、前記端末に対応する中継装置を決定することを含むことを特徴とする、請求項１に記載の方法。
【請求項４】
前記コアネットワーク装置が前記中継装置に対応するアクセスネットワーク装置にページング要求メッセージを送信することは、
前記コアネットワーク装置が前記中継装置の特定のＳ１インターフェイス接続を介して前記ページング要求メッセージを送信し、
または、前記コアネットワーク装置が前記中継装置の非特定のＳ１インターフェイス接続を介して前記ページング要求メッセージを送信することを含むことを特徴とする、請求項１に記載の方法。
【請求項５】
該方法は、
前記中継装置の非特定のＳ１インターフェイス接続を介して前記ページング要求メッセージを送信する場合、前記ページング要求メッセージには前記中継装置の識別情報が含まれることを更に含むことを特徴とする、請求項４に記載の方法。
【請求項６】
端末ページングの方法であって、
アクセスネットワーク装置はコアネットワーク装置からのページング要求メッセージを受信するステップと、
前記アクセスネットワーク装置は前記ページング要求メッセージに対応する中継装置を決定するステップと、
前記アクセスネットワーク装置は前記中継装置にページング情報を送信して、前記中継装置が前記ページング情報を端末に中継するようにするステップと、を含むことを特徴とする端末ページングの方法。
【請求項７】
前記アクセスネットワーク装置がコアネットワーク装置からのページング要求メッセージを受信することは、
前記アクセスネットワーク装置が前記中継装置の特定のＳ１インターフェイス接続を介して前記ページング要求メッセージを受信し、
または、前記アクセスネットワーク装置が前記中継装置の非特定のＳ１インターフェイス接続を介して前記ページング要求メッセージを受信することを含むことを特徴とする、請求項６に記載の方法。
【請求項８】
前記アクセスネットワーク装置が前記ページング要求メッセージに対応する中継装置を決定することは、
前記中継装置の特定のＳ１インターフェイス接続を介して前記ページング要求メッセージを受信する場合、前記アクセスネットワーク装置が、前記特定のＳ１インターフェイス接続情報に基づいて前記中継装置を決定し、
前記中継装置の非特定のＳ１インターフェイス接続を介して前記ページング要求メッセージを受信する場合、前記アクセスネットワーク装置が、前記ページング要求メッセージに含まれる前記中継装置の識別情報に基づいて前記中継装置を決定することを含むことを特徴とする、請求項７に記載の方法。
【請求項９】
前記アクセスネットワーク装置が前記中継装置にページング情報を送信することは、
前記アクセスネットワークが前記ページング情報を専用メッセージに含ませて前記中継装置に送信することを含むことを特徴とする、請求項６に記載の方法。
【請求項１０】
前記専用メッセージは、無線リソース制御ＲＲＣメッセージ、プロトコルデータユニットＰＤＵメッセージを含むことを特徴とする、請求項９に記載の方法。
【請求項１１】
端末ページングの方法であって、
中継装置はアクセスネットワーク装置からのページング情報を受信し、前記ページング情報は、前記アクセスネットワーク装置がコアネットワーク装置からのページング要求メッセージを受信してから前記中継装置に送信したものであるステップと、
前記中継装置は前記ページング情報を端末に中継するステップと、を含むことを特徴とする端末ページングの方法。
【請求項１２】
前記中継装置が前記ページング情報を端末に中継することは、
前記中継装置が、短距離通信技術によって、前記ページング情報を前記端末に中継することを含むことを特徴とする、請求項１１に記載の方法。
【請求項１３】
端末ページングの方法であって、
端末は中継装置からのページング情報を受信し、前記ページング情報はアクセスネットワーク装置がコアネットワーク装置からのページング要求メッセージを受信してから前記中継装置に送信したものであるステップを含むことを特徴とする端末ページングの方法。
【請求項１４】
前記端末が中継装置からのページング情報を受信することは、
前記端末が短距離通信技術によって前記ページング情報を受信することを含むことを特徴とする、請求項１３に記載の方法。
【請求項１５】
請求項１〜１４のいずれか１項に記載の方法を実現するように構成される装置。
【国際調査報告】
2020519063.tif 000013
2020519063.tif 000014
2020519063.tif 000015
2020519063.tif 000016